(57)【特許請求の範囲】
【請求項１】
トレッド部の踏面に、タイヤ周方向に延在する複数の周方向主溝と、タイヤ周方向に交差する複数のラグ溝とによりタイヤ周方向に並設された複数のブロックを有し、かつ前記ブロックの踏面に、タイヤ周方向に交差して設けられた細溝状のサイプを有した空気入りタイヤにおいて、
前記周方向主溝の間で少なくともタイヤ幅方向最外側に設けられた前記ブロックにて、前記ラグ溝は、前記ブロックのタイヤ幅方向幅の中央５０％の範囲内に少なくとも１つの屈曲点を有して屈曲して設けられ、かつ前記屈曲点を境にしたタイヤ幅方向両側でのタイヤ周方向に対する各角度θが３０［度］≦θ≦８０［度］の範囲に設定されており、前記サイプは、一端が前記周方向主溝に貫通すると共に、他端が前記ブロックのタイヤ幅方向幅の中央５０％の範囲内に位置して設けられていることを特徴とする空気入りタイヤ。
【請求項２】
前記ラグ溝の前記各角度θが４０［度］≦θ≦７０［度］の範囲に設定されていることを特徴とする請求項１に記載の空気入りタイヤ。
【請求項３】
前記サイプは、前記ブロックのタイヤ幅方向両側に設けられ、かつ前記ラグ溝のタイヤ幅方向両側の部位と平行に設けられていることを特徴とする請求項１または２に記載の空気入りタイヤ。
【請求項４】
前記トレッド部のタイヤ幅方向中央部には、前記周方向主溝と、タイヤ周方向に斜めに交差した複数の傾斜ラグ溝とによりタイヤ周方向で分けられた中央ブロックが設けられ、
前記中央ブロックの踏面に、前記傾斜ラグ溝と平行に設けられた細溝状の傾斜サイプを有していることを特徴とする請求項１〜３のいずれか一つに記載の空気入りタイヤ。
【請求項５】
タイヤ幅方向最外側の前記周方向主溝のさらにタイヤ幅方向外側には、前記周方向主溝よりも溝幅が狭く、かつタイヤ周方向に延在して設けられた少なくとも１つの周方向副溝と、前記周方向副溝のタイヤ幅方向外側にて、該周方向副溝に貫通し、かつ前記ラグ溝よりもタイヤ周方向での数が多く設けられた外側ラグ溝とをさらに備えたことを特徴とする請求項１〜４のいずれか一つに記載の空気入りタイヤ。
【請求項６】
前記周方向副溝と前記周方向主溝との間には、タイヤ周方向に斜めに交差した複数の傾斜ラグ溝によりタイヤ周方向で分けられた幅方向外側ブロックが設けられ、
前記幅方向外側ブロックの踏面に、前記傾斜ラグ溝と平行に設けられた細溝状の傾斜サイプを有していることを特徴とする請求項５に記載の空気入りタイヤ。
【請求項７】
すべての前記ラグ溝のうちの少なくとも１つのラグ溝の溝底にて、該ラグ溝の延在方向に沿って設けられた細溝状の溝底サイプをさらに備えたことを特徴とする請求項１〜６のいずれか一つに記載の空気入りタイヤ。
【請求項８】
前記溝底サイプが設けられた前記ラグ溝は、前記溝底サイプの溝底に対して少なくとも一部の溝底が接近または離隔する態様で溝深さが漸次変化して設けられていることを特徴とする請求項７に記載の空気入りタイヤ。
【請求項９】
前記ラグ溝の溝幅Ｗ１に対し、前記溝底サイプの溝幅Ｗ２が、０．１５≦Ｗ２／Ｗ１≦０．５０の範囲に設定されていることを特徴とする請求項７または８に記載の空気入りタイヤ。
【請求項１０】
前記ラグ溝の最大溝深さＤ１に対し、前記溝底サイプの最大溝深さＤ２が、０．２０≦Ｄ２／Ｄ１≦０．９０の範囲に設定されていることを特徴とする請求項７〜９のいずれか一つに記載の空気入りタイヤ。
【発明の詳細な説明】
【技術分野】
【０００１】
本発明は、空気入りタイヤに関し、さらに詳しくは、乾燥路面での操縦安定性能と、雪上路面での雪上性能とを備える空気入りタイヤに関するものである。
【背景技術】
【０００２】
乾燥路面および雪上路面に適用されるオールシーズンタイヤと称される空気入りタイヤでは、乾燥路面での操縦安定性能と、雪上路面での雪上性能（主に制動性能および旋回性能）とを両立することが望まれている。従来、この種の空気入りタイヤでは、トレッド部に、タイヤ周方向に延びる複数の周方向主溝と、該周方向主溝に交差する複数の横溝とにより、タイヤ赤道面の近傍にリブが形成され、タイヤ幅方向外側にはブロック列が形成されている。さらに、ブロック列には、複数のサイプが形成されている。そして、この空気入りタイヤでは、タイヤ赤道面の近傍に形成されたリブの単位幅当たりのタイヤ幅方向エッジ成分が、ブロック列の単位幅当たりのタイヤ幅方向エッジ成分の５０％以下に設定されている。すなわち、従来の空気入りタイヤは、トレッド部の剛性をタイヤ赤道面近傍のリブにもたせて乾燥路面での操縦安定性能を得る一方、タイヤ幅方向エッジ成分をタイヤ幅方向外側のブロックにもたせて雪上路面での雪上性能を得ている（例えば、特許文献１参照）。
【０００３】
【特許文献１】特開平８−４８１１４号公報
【発明の開示】
【発明が解決しようとする課題】
【０００４】
ところで、ブロック列のブロックに形成したサイプは、ブロックにエッジ効果をもたせ、凍結路や雪上路で路面を引っ掻くようにしてグリップ力を生じさせる。これにより、雪上路面での雪上性能が得られる。すなわち、サイプを多く設けることで雪上性能が向上する。その反面、サイプを多くすると、ブロックが変形し易くなって、乾燥路面においてブロックが大きく変形し、操縦安定性能が損なわれることになる。
【０００５】
このような観点から、従来の空気入りタイヤでは、タイヤ幅方向エッジ成分をタイヤ幅方向外側のブロックに多くもたせているため、ブロックの変形が大きくなり、このブロックの変形によって乾燥路面での操縦安定性能が損なわれてしまう。
【０００６】
本発明は、上記に鑑みてなされたものであって、乾燥路面での操縦安定性能と、雪上路面での雪上性能とを両立することのできる空気入りタイヤを提供することを目的とする。
【課題を解決するための手段】
【０００７】
上記目的を達成するため、本発明にかかる空気入りタイヤでは、トレッド部の踏面に、タイヤ周方向に延在する複数の周方向主溝と、タイヤ周方向に交差する複数のラグ溝とによりタイヤ周方向に並設された複数のブロックを有し、かつ前記ブロックの踏面に、タイヤ周方向に交差して設けられた細溝状のサイプを有した空気入りタイヤにおいて、前記周方向主溝の間で少なくともタイヤ幅方向最外側に設けられた前記ブロックにて、前記ラグ溝は、前記ブロックのタイヤ幅方向幅の中央５０％の範囲内に少なくとも１つの屈曲点を有して屈曲して設けられ、かつ前記屈曲点を境にしたタイヤ幅方向両側でのタイヤ周方向に対する各角度θが３０［度］≦θ≦８０［度］の範囲に設定されており、前記サイプは、一端が前記周方向主溝に貫通すると共に、他端が前記ブロックのタイヤ幅方向幅の中央５０％の範囲内に位置して設けられていることを特徴とする。
【０００８】
この空気入りタイヤによれば、ラグ溝が屈曲して設けられたことにより、ブロックにタイヤ周方向に向く楔形部が形成されているため、タイヤ幅方向およびタイヤ周方向でのサイプによるエッジ効果を釣り合わせ、雪上路面での雪上性能である制動性能（駆動性能）および旋回性能を向上できる。しかも、ラグ溝の屈曲点およびサイプの他端がブロックのタイヤ幅方向の中央５０％の範囲内に位置している。このため、ブロックの中央部の剛性が高くなり、乾燥路面においてブロックのタイヤ周方向およびタイヤ幅方向への倒れ込みが抑えられ、乾燥路面での操縦安定性能を向上できる。特に、ラグ溝の屈曲点がブロックの中央５０％の範囲内に設けられ、かつ、屈曲点を境にしたタイヤ幅方向両側でのタイヤ周方向に対するそれぞれの角度θが、３０［度］≦θ≦８０［度］の範囲に設定されている。このため、タイヤ周方向およびタイヤ幅方向への倒れ込みをバランス良く抑えることができる。
【０００９】
また、本発明にかかる空気入りタイヤでは、前記ラグ溝の前記各角度θが４０［度］≦θ≦７０［度］の範囲に設定されていることを特徴とする。
【００１０】
この空気入りタイヤによれば、タイヤ周方向およびタイヤ幅方向への倒れ込みをよりバランス良く抑えることができる。
【００１１】
また、本発明にかかる空気入りタイヤでは、前記サイプは、前記ブロックのタイヤ幅方向両側に設けられ、かつ前記ラグ溝のタイヤ幅方向両側の部位と平行に設けられていることを特徴とする。
【００１２】
この空気入りタイヤによれば、タイヤ幅方向およびタイヤ周方向でのサイプによるエッジ効果の釣り合いをさらに良くし、雪上路面での雪上性能である制動性能（駆動性能）および旋回性能がさらに向上できる。
【００１３】
また、本発明にかかる空気入りタイヤでは、前記トレッド部のタイヤ幅方向中央部には、前記周方向主溝と、タイヤ周方向に斜めに交差した複数の傾斜ラグ溝とによりタイヤ周方向で分けられた中央ブロックが設けられ、前記中央ブロックの踏面に、前記傾斜ラグ溝と平行に設けられた細溝状の傾斜サイプを有していることを特徴とする。
【００１４】
この空気入りタイヤによれば、タイヤ周方向への傾斜により中央ブロックのタイヤ周方向およびタイヤ幅方向への倒れ込みが抑えられるので、乾燥路面での操縦安定性能を向上できる。また、傾斜ラグ溝と平行に設けられた傾斜サイプにより、雪上路面での雪上性能である制動性能（駆動性能）および旋回性能を向上できる。
【００１５】
また、本発明にかかる空気入りタイヤでは、タイヤ幅方向最外側の前記周方向主溝のさらにタイヤ幅方向外側には、前記周方向主溝よりも溝幅が狭く、かつタイヤ周方向に延在して設けられた少なくとも１つの周方向副溝と、前記周方向副溝のタイヤ幅方向外側にて、該周方向副溝に貫通し、かつ前記ラグ溝よりもタイヤ周方向での数が多く設けられた外側ラグ溝とをさらに備えたことを特徴とする。
【００１６】
この空気入りタイヤによれば、周方向副溝のタイヤ幅方向外側に、ラグ溝よりもタイヤ周方向での数が多く設けられた外側ラグ溝を設けたことにより、雪柱せん断力が増加し、雪上路面での雪上性能である制動性能（駆動性能）および旋回性能が向上する。
【００１７】
また、本発明にかかる空気入りタイヤでは、前記周方向副溝と前記周方向主溝との間には、タイヤ周方向に斜めに交差した複数の傾斜ラグ溝によりタイヤ周方向で分けられた幅方向外側ブロックが設けられ、前記幅方向外側ブロックの踏面に、前記傾斜ラグ溝と平行に設けられた細溝状の傾斜サイプを有していることを特徴とする。
【００１８】
この空気入りタイヤによれば、幅方向外側ブロックが、タイヤ周方向に対して斜めに交差する傾斜ラグ溝により、タイヤ周方向およびタイヤ幅方向への倒れ込みが抑えられる。このため、乾燥路面での操縦安定性能を向上できる。また、傾斜ラグ溝と平行に設けられた傾斜サイプにより、雪上路面での雪上性能である制動性能（駆動性能）および旋回性能が向上できる。
【００１９】
また、本発明にかかる空気入りタイヤでは、すべての前記ラグ溝のうちの少なくとも１つのラグ溝の溝底にて、該ラグ溝の延在方向に沿って設けられた細溝状の溝底サイプをさらに備えたことを特徴とする。
【００２０】
この空気入りタイヤによれば、トレッド部が路面から離れる際に、溝底サイプによりラグ溝の溝底が開くので、ラグ溝に詰まる雪を排出し易くなる。このため、ラグ溝の排雪効果が高まり、凍結路や雪上路で路面を引っ掻くグリップ力を維持することができ、雪上性能が向上できる。
【００２１】
また、本発明にかかる空気入りタイヤでは、前記溝底サイプが設けられた前記ラグ溝は、前記溝底サイプの溝底に対して少なくとも一部の溝底が接近または離隔する態様で溝深さが漸次変化して設けられていることを特徴とする。
【００２２】
この空気入りタイヤによれば、トレッド部の摩耗に伴い、周方向主溝と共にラグ溝が浅くなるが、ラグ溝は、溝深さが漸次変化して設けられているため徐々に浅くなる。このため、乾燥路面での操縦安定性能、および雪上路面での雪上性能を、空気入りタイヤが寿命を迎えるまで維持できると共に、早期に寿命を迎えたかのように見える事態が防げる。
【００２３】
また、本発明にかかる空気入りタイヤでは、前記ラグ溝の溝幅Ｗ１に対し、前記溝底サイプの溝幅Ｗ２が、０．１５≦Ｗ２／Ｗ１≦０．５０の範囲に設定されていることを特徴とする。
【００２４】
この空気入りタイヤによれば、ラグ溝における排雪性能をより向上できる。
【００２５】
また、本発明にかかる空気入りタイヤでは、前記ラグ溝の最大溝深さＤ１に対し、前記溝底サイプの最大溝深さＤ２が、０．２０≦Ｄ２／Ｄ１≦０．９０の範囲に設定されていることを特徴とする。
【００２６】
この空気入りタイヤによれば、ラグ溝における排雪性能をより向上できる。
【発明の効果】
【００２７】
本発明にかかる空気入りタイヤは、乾燥路面での操縦安定性能と、雪上路面での雪上性能とを両立することができる。
【発明を実施するための最良の形態】
【００２８】
以下に、本発明にかかる空気入りタイヤの実施の形態を図面に基づいて詳細に説明する。なお、この実施の形態によりこの発明が限定されるものではない。また、この実施の形態の構成要素には、当業者が置換可能かつ容易なもの、あるいは実質的同一のものが含まれる。また、この実施の形態に記載された複数の変形例は、当業者自明の範囲内にて任意に組み合わせが可能である。
【００２９】
以下の説明において、タイヤ径方向とは、空気入りタイヤの回転軸と直交する方向をいい、タイヤ径方向内側とはタイヤ径方向において回転軸に向かう側、タイヤ径方向外側とはタイヤ径方向において回転軸から離れる側をいう。また、タイヤ周方向とは、前記回転軸を中心軸とする周り方向をいう。また、タイヤ幅方向とは、前記回転軸と平行な方向をいい、タイヤ幅方向内側とはタイヤ幅方向においてタイヤ赤道面に向かう側、タイヤ幅方向外側とはタイヤ幅方向においてタイヤ赤道面から離れる側をいう。
【００３０】
図１は、本発明の実施の形態にかかる空気入りタイヤのトレッド部の一部を示す平面図、図２は、溝底サイプを示す断面図、図３は、溝底サイプの他の実施の形態を示す断面図、図４は、図３の溝底サイプを示す平面図、図５および図６は、溝底サイプのさらに他の実施の形態を示す断面図、図７は、本発明の実施の形態にかかる空気入りタイヤの性能試験の結果を示す図表である。
【００３１】
空気入りタイヤ１は、タイヤ径方向の最も外側に、弾力性を有するゴム部材からなり空気入りタイヤ１の外郭をなすトレッド部２が形成されている。また、トレッド部２の表面、すなわち空気入りタイヤ１を装着する車両（図示せず）が走行した場合に路面と接触する踏面２１には、タイヤ周方向に延在する複数（本実施の形態では４つ）の周方向主溝３が設けられている。そして、該周方向主溝３の間にタイヤ周方向に延びる複数（本実施の形態では３つ）リブ４が設けられている。
【００３２】
この空気入りタイヤ１において、タイヤ幅方向最外側の各リブ４には、タイヤ周方向に交差して形成されたラグ溝５によりタイヤ周方向に分けて並設さられたブロック４ａが形成されている。また、ブロック４ａの踏面２１には、タイヤ周方向に交差して形成された細溝状のサイプ６が設けられている。
【００３３】
ラグ溝５は、屈曲点５ａを有してＶ字形状に屈曲して設けられている。屈曲点５ａは、ブロック４ａのタイヤ幅方向幅の中央５０％の範囲内に少なくとも１つ設けられている。このラグ溝５は、屈曲点５ａを境にしたタイヤ幅方向両側でのタイヤ周方向に対するそれぞれの角度θが、３０［度］≦θ≦８０［度］の範囲に設定されている。すなわち、ラグ溝５は、屈曲角度が６０度以上１６０度以下の範囲で形成されている。
【００３４】
サイプ６は、一端６ａが周方向主溝３に貫通し、他端６ｂがブロック４ａの途中に位置して設けられている。具体的に、サイプ６の他端６ｂは、ブロック４ａのタイヤ幅方向幅の中央５０％の範囲内に位置している。
【００３５】
この空気入りタイヤ１では、ラグ溝５が屈曲して設けられていることにより、ブロック４ａにタイヤ周方向に向く楔形部が形成されているため、タイヤ幅方向およびタイヤ周方向でのサイプ６によるエッジ効果を釣り合わせ、雪上路面での雪上性能である制動性能（駆動性能）および旋回性能を向上できる。しかも、ラグ溝５の屈曲点５ａおよびサイプ６の他端６ｂが、ブロック４ａのタイヤ幅方向の中央５０％の範囲内に位置している。このため、ブロック４ａの中央部の剛性が高くなり、乾燥路面においてブロック４ａのタイヤ周方向およびタイヤ幅方向への倒れ込みが抑えられ、乾燥路面での操縦安定性能を向上できる。特に、ラグ溝５の屈曲点５ａがブロック４ａの中央５０％の範囲内に設けられ、かつ、屈曲点５ａを境にしたタイヤ幅方向両側でのタイヤ周方向に対するそれぞれの角度θが、３０［度］≦θ≦８０［度］の範囲に設定されている。このため、タイヤ周方向およびタイヤ幅方向への倒れ込みをバランス良く抑えることができる。
【００３６】
ラグ溝５が屈曲する上記角度θは、４０［度］≦θ≦７０［度］の範囲に設定されていることが好ましい。かかる構成によれば、タイヤ周方向およびタイヤ幅方向への倒れ込みをよりバランス良く抑えることができる。なお、ラグ溝５の屈曲点５ａは、１つに限らず複数設けられ、楔形部を複数有していてもよい。
【００３７】
サイプ６は、ブロック４ａのタイヤ幅方向両側に設けられ、かつ屈曲したラグ溝５と平行に設けられていることが好ましい。かかる構成によれば、タイヤ幅方向およびタイヤ周方向でのサイプ６によるエッジ効果の釣り合いをさらに良くし、雪上路面での雪上性能である制動性能（駆動性能）および旋回性能がさらに向上できる。なお、サイプ６は、ブロック４ａのタイヤ幅方向の一側のみに設けられていてもよい。また、サイプ６は、タイヤ周方向に少なくとも１つ設けられていればよい。
【００３８】
なお、上述したブロック４ａは、図１に示すように、周方向主溝３の間でタイヤ幅方向最外側の両側の各リブ４に形成されていることが好ましいが、タイヤ幅方向最外側の少なくとも一側のリブ４に形成されていてもよい。
【００３９】
また、本実施の形態にかかる空気入りタイヤ１は、トレッド部２のタイヤ幅方向中央部分であるセンター域２ａのリブ４には、タイヤ周方向に斜めに交差して形成された傾斜ラグ溝７によりタイヤ周方向で分けられたブロック４ｂが形成されている。また、ブロック４ｂの踏面２１には、傾斜ラグ溝７と平行に形成された細溝状の傾斜サイプ８が設けられている。傾斜サイプ８は、タイヤ周方向に少なくとも１つ設けられていればよい。なお、ブロック４ｂには、タイヤ赤道線に沿ってセンター溝９が設けられている。
【００４０】
かかる構成によれば、トレッド部２のセンター域２ａに設けられたブロック４ｂが、タイヤ周方向に対して斜めに交差する傾斜ラグ溝７により、タイヤ周方向およびタイヤ幅方向への倒れ込みを抑えられる。このため、乾燥路面での操縦安定性能を向上できる。また、傾斜ラグ溝７と平行に設けられた傾斜サイプ８により、雪上路面での雪上性能である制動性能（駆動性能）および旋回性能を向上できる。
【００４１】
また、本実施の形態にかかる空気入りタイヤ１は、タイヤ幅方向最外側の周方向主溝３のさらにタイヤ幅方向外側であるトレッド部２のショルダー域２ｂに、該周方向主溝３よりも溝幅が狭く、かつタイヤ周方向に延在して設けられた周方向副溝１０を有している。そして、周方向副溝１０のタイヤ幅方向外側には、周方向副溝１０に貫通してタイヤ周方向に対して交差し、かつ前記ラグ溝５よりもタイヤ周方向での数が多く設けられた外側ラグ溝１１を有している。
【００４２】
外側ラグ溝１１は、一端が周方向副溝１０に貫通し、かつ他端がトレッド部２のタイヤ幅方向側端に貫通して設けられたオープン外側ラグ溝１１ａが、前記ラグ溝５とタイヤ周方向での数が同じくされている。そして、オープン外側ラグ溝１１ａの間に、一端が周方向副溝１０に貫通し、かつ他端がトレッド部２のタイヤ幅方向側端に貫通せず短く形成されたクローズ外側ラグ溝１１ｂが設けられている。
【００４３】
かかる構成によれば、トレッド部２のショルダー域２ｂにおいて、周方向副溝１０のタイヤ幅方向外側に、ラグ溝５よりもタイヤ周方向での数が多く設けられた外側ラグ溝１１を設けたことにより、雪柱せん断力（雪を踏み固めて外側ラグ溝１１内に作られる雪柱のせん断抵抗）が増加し、雪上路面での雪上性能である制動性能（駆動性能）および旋回性能が向上できる。
【００４４】
なお、周方向副溝１０および外側ラグ溝１１は、図１に示すように、タイヤ幅方向両側に設けられていることが雪上性能を向上するうえで好ましいが、タイヤ幅方向の一側のみに設けられていてもよい。また、周方向副溝１０は、図１に示すように、タイヤ幅方向の一側において１つ設けられている構成に限らず、複数設けられていてもよい。
【００４５】
また、本実施の形態にかかる空気入りタイヤ１は、周方向主溝３と周方向副溝１０との間に幅方向外側リブ１２が設けられている。そして、この幅方向外側リブ１２には、タイヤ周方向に斜めに交差して形成された傾斜ラグ溝１３によりタイヤ周方向で分けられた幅方向外側ブロック１２ａが形成されている。また、幅方向外側ブロック１２ａの踏面２１には、傾斜ラグ溝１３と平行に形成された細溝状の傾斜サイプ１４が設けられている。傾斜サイプ１４は、タイヤ周方向に少なくとも１つ設けられていればよい。
【００４６】
かかる構成によれば、幅方向外側ブロック１２ａが、タイヤ周方向に対して斜めに交差する傾斜ラグ溝１３により、タイヤ周方向およびタイヤ幅方向への倒れ込みを抑えられる。このため、乾燥路面での操縦安定性能を向上できる。また、傾斜ラグ溝１３と平行に設けられた傾斜サイプ１４により、雪上路面での雪上性能である制動性能（駆動性能）および旋回性能が向上できる。
【００４７】
ところで、本実施の形態にかかる空気入りタイヤ１において、周方向主溝３は、トレッド部２の踏面２１において最も溝幅が広く形成され、その溝底に摩耗限界を示すウェアインジケータ（図示せず）が設けられるものである。また、ラグ溝５は、周方向主溝３よりも溝幅が狭く形成されており、傾斜ラグ溝７、周方向副溝１０、外側ラグ溝１１および傾斜ラグ溝１３は、ラグ溝５と同等の溝幅を有している。また、サイプ６、傾斜サイプ８および傾斜サイプ１４は、ラグ溝５よりもさらに溝幅が狭く、本実施の形態では０．４[ｍｍ]以上２．０［ｍｍ］以下に形成されている。また、ラグ溝５、サイプ６、傾斜ラグ溝７、傾斜サイプ８、周方向副溝１０、外側ラグ溝１１、傾斜ラグ溝１３および傾斜サイプ１４は、ウェアインジケータが設けられるものではない。
【００４８】
また、本実施の形態にかかる空気入りタイヤ１は、図２に示すように、上述した全てのラグ溝（ラグ溝５、傾斜ラグ溝７、外側ラグ溝１１および傾斜ラグ溝１３）にかかり、溝底サイプ１５を備えている。溝底サイプ１５は、ラグ溝５，７，１１，１３の延在方向に沿って細溝状に形成されている。なお、図２では、トレッド部２のセンター域２ａに設けられた傾斜ラグ溝７に溝底サイプ１５を設けた形態を示している。
【００４９】
かかる構成によれば、トレッド部２の踏面２１が路面から離れる際に、溝底サイプ１５によりラグ溝７（５，１１，１３）の溝底Ｂ１が開くので、ラグ溝７（５，１１，１３）に詰まる雪を排出し易くなる。このため、ラグ溝７（５，１１，１３）の排雪効果が高まり、凍結路や雪上路で路面を引っ掻くグリップ力を維持することができ、雪上性能が向上できる。
【００５０】
なお、上述した溝底サイプ１５は、雪上性能を向上するうえで上述した全てのラグ溝５，７，１１，１３に設けられていることが好ましいが、乾燥路面での操縦安定性能を考慮し、ラグ溝５，７，１１，１３を選択して設けてもよい。
【００５１】
また、本実施の形態にかかる空気入りタイヤ１では、図３に示すように、溝底サイプ１５が設けられたラグ溝７（５，１１，１３）は、溝底サイプ１５の溝底に対し、少なくとも一部の溝底が接近または離隔する態様で溝深さが漸次変化して設けられている。具体的に、ラグ溝７（５，１１，１３）は、リブ４（ブロック４ｂ）におけるタイヤ幅方向中央が最小溝深さ（最も溝深さが浅い）で、このタイヤ幅方向中央から両側（例えば周方向主溝３）に向かって滑らかに溝深さが深く変化するように、溝底Ｂ１が傾斜して設けられている。一方、溝底サイプ１５は、その溝底Ｂ２が一定の深さで形成されている。このため、ラグ溝７（５，１１，１３）は、の溝底Ｂ１の傾斜に伴って該溝底Ｂ１の深さ位置が変化し、溝底サイプ１５の最大溝深さＤ２の位置で最小溝深さになり、溝底サイプ１５の最小溝深さの位置で最大深さＤ１になる。なお、ラグ溝７（５，１１，１３）の最大溝深さＤ１、および溝底サイプ１５の最大溝深さＤ２は、周方向主溝３の溝深さＤ０よりも浅く形成され、かつ該周方向主溝３の溝底に設けられたウェアインジケータ近くに至り形成されている。
【００５２】
空気入りタイヤ１を車両に装着して走行するとトレッド部２が摩耗し各溝が徐々に浅くなる。そして、トレッド部２の踏面２１が、周方向主溝３の溝底に設けられたウェアインジケータと同じ深さまで摩耗した場合、空気入りタイヤ１が寿命を迎えて交換されることになる。ここで、例えば、ラグ溝７（５，１１，１３）の最大溝深さＤ１が周方向主溝３の溝深さＤ０よりも浅く、かつ一定の深さで形成されている場合では、トレッド部２の踏面２１がウェアインジケータと同じ深さまで摩耗する以前にラグ溝７（５，１１，１３）が無くなってしまう。このため、乾燥路面での操縦安定性能、および雪上路面での雪上性能が低下してしまう。また、ラグ溝７（５，１１，１３）が無くなることにより、未だ使用できるにも拘わらず、早期に寿命を迎えたかのように見えてしまうことになる。
【００５３】
この点、かかる構成によれば、トレッド部２の摩耗に伴い、周方向主溝３と共にラグ溝７（５，１１，１３）が浅くなるが、ラグ溝７（５，１１，１３）は、溝深さが漸次変化して設けられているため、徐々に浅くなる。図４では、図３に示す構成において、周方向主溝３が新品時から約半分まで浅くなった状態を示す。この図４に示すように、ラグ溝７（５，１１，１３）は、溝深さが漸次変化していることで、リブ４（ブロック４ｂ）においてタイヤ幅方向中央から両側に向けて徐々に減っていく。このため、乾燥路面での操縦安定性能、および雪上路面での雪上性能を、空気入りタイヤ１が寿命を迎えるまで維持できると共に、早期に寿命を迎えたかのように見える事態を防げる。
【００５４】
また、図５に示すように、ラグ溝７（５，１１，１３）は、リブ４（ブロック４ｂ）におけるタイヤ幅方向一側が最小溝深さ（最も溝深さが浅い）で、このタイヤ幅方向一側から他側に向かって滑らかに溝深さが深く変化するように、溝底Ｂ１が傾斜して設けられている。一方、溝底サイプ１５は、その溝底Ｂ２が一定の深さで形成されている。また、このラグ溝７（５，１１，１３）のタイヤ周方向に隣接するラグ溝７（５，１１，１３）は、リブ４（ブロック４ｂ）におけるタイヤ幅方向他側が最小溝深さ（最も溝深さが浅い）で、このタイヤ幅方向他側から一側に向かって滑らかに溝深さが深く変化するように、溝底Ｂ１が傾斜して設けられている。このようにラグ溝７（５，１１，１３）は、溝底Ｂ１の傾斜がタイヤ周方向で互い違いに構成されている。
【００５５】
かかる構成によれば、トレッド部２の摩耗に伴い、周方向主溝３と共にラグ溝７（５，１１，１３）が浅くなるが、ラグ溝７（５，１１，１３）は、リブ４（ブロック４ｂ）においてタイヤ幅方向一側（もしくはタイヤ幅方向他方）から他側（もしくは一側）に向けて徐々に減っていく。このため、乾燥路面での操縦安定性能、および雪上路面での雪上性能を、空気入りタイヤ１が寿命を迎えるまで維持できると共に、早期に寿命を迎えたかのように見える事態を防げる。
【００５６】
また、図６に示すように、ラグ溝７（５，１１，１３）は、リブ４（ブロック４ｂ）におけるタイヤ幅方向両側が最小溝深さ（最も溝深さが浅い）で、このタイヤ幅方向両側から中央に向かって滑らかに溝深さが深く変化するように、溝底Ｂ１が傾斜して設けられている。一方、溝底サイプ１５は、その溝底Ｂ２が一定の深さで形成されている。
【００５７】
かかる構成によれば、トレッド部２の摩耗に伴い、周方向主溝３と共にラグ溝７（５，１１，１３）が浅くなるが、ラグ溝７（５，１１，１３）は、リブ４（ブロック４ｂ）においてタイヤ幅方向両側から中央に向けて徐々に減っていく。このため、乾燥路面での操縦安定性能、および雪上路面での雪上性能を、空気入りタイヤ１が寿命を迎えるまで維持できると共に、早期に寿命を迎えたかのように見える事態が防げる。
【００５８】
また、図２、図３、図５および図６に示した空気入りタイヤ１では、ラグ溝７（５，１１，１３）の溝幅Ｗ１に対し、溝底サイプ１５の溝幅Ｗ２が、０．１５≦Ｗ２／Ｗ１≦０．５０の範囲に設定されている。かかる構成によれば、ラグ溝７（５，１１，１３）の排雪性能をより向上できる。なお、ラグ溝７（５，１１，１３）の溝幅Ｗ１に対し、溝底サイプ１５の溝幅Ｗ２を、０．２５≦Ｗ２／Ｗ１≦０．３５の範囲に設定すれば、ラグ溝７（５，１１，１３）の排雪の向上効果がより良好に得られる。なお、溝底サイプ１５の溝幅Ｗ２は、０．４[ｍｍ]≦溝幅Ｗ２≦２．０［ｍｍ］の範囲に設定されていることが好ましい。
【００５９】
また、図３、図５および図６に示した空気入りタイヤ１では、ラグ溝７（５，１１，１３）の最大溝深さＤ１に対し、溝底サイプ１５の最大溝深さＤ２が、０．２０≦Ｄ２／Ｄ１≦０．９０の範囲に設定されている。かかる構成によれば、溝底サイプ１５によるラグ溝７（５，１１，１３）の排雪性能をより向上できる。なお、ラグ溝７（５，１１，１３）の最大溝深さＤ１に対し、溝底サイプ１５の最大溝深さＤ２を、０．３５≦Ｄ２／Ｄ１≦０．７０の範囲に設定すれば、ラグ溝７（５，１１，１３）の排雪の向上効果がより良好に得られる。
【００６０】
なお、本実施の形態にかかる空気入りタイヤ１は、上述したトレッド部２のパターンが図１に示すように平面視で点対称に配置されている。よって、この空気入りタイヤ１は、車両に装着する場合、タイヤ周方向のいずれの方向を進行方向とすることができる。
【００６１】
本実施の形態では、条件が異なる複数種類の空気入りタイヤについて、雪上路面での雪上性能（制動性能および旋回性能）、乾燥路面での操縦安定性能、雪上路面での排雪性能（新品時、トレッド部４０％摩耗時およびトレッド部７０％摩耗時）に関する性能試験が行われた（図７参照）。
【００６２】
雪上路面での雪上性能（制動性能および旋回性能）、乾燥路面での操縦安定性能における性能試験では、タイヤサイズ２１５／６０Ｒ１６の空気入りタイヤが用いられる。そして、この空気入りタイヤを、ＪＡＴＭＡ規定の正規リムに組み付け、ＪＡＴＭＡ規定の最高空気圧を付与して、日本国産の排気量２０００ｃｃのセダンタイプの車両に装着した。評価方法は、雪上性能（制動性能）では、雪上路面で時速４０［ｋｍ／ｈ］からの制動距離が測定される。そして、この測定結果に基づいて従来例を基準（１００）とした指数評価が行われる。この評価は、数値が大きいほど好ましい。また、雪上性能（旋回性能）では、雪上路面で半径３０［ｍ］円の旋回時の周回時間が測定される。そして、この測定結果に基づいて従来例を基準（１００）とした指数評価が行われる。この評価は、数値が大きいほど好ましい。また、操縦安定性能では、乾燥路面であるハンドリングコースでのフィーリングが評価され、従来例を基準（３）とした指数評価が行われる。この評価は、数値が大きいほど好ましい。
【００６３】
排雪性能における性能試験では、タイヤサイズ２１５／５０Ｒ１７  ９１Ｗの空気入りタイヤが用いられる。そして、この空気入りタイヤを、リムサイズ１７×７ＪＪのリムに組み付け、ＪＡＴＭＡ規定の最高空気圧を付与して、日本国産の排気量２０００ｃｃのセダンタイプの車両に装着した。評価方法は、雪上路面であるハンドリングコースでのフィーリングが評価され、新品時を基準（１００）として４０％摩耗時および７０％摩耗時での指数評価が行われる。この評価は、数値が大きいほど好ましい。
【００６４】
従来例の空気入りタイヤは、ラグ溝が屈曲しておらず（屈曲点無し）、サイプ端部の位置が規定なく連続している（サイプ連続）。比較例の空気入りタイヤは、ラグ溝が屈曲して屈曲点を有し、かつサイプ端部がブロック内に位置しているものの、タイヤ幅方向の中央５０％範囲外にある。さらに、比較例の空気入りタイヤは、ラグ溝の各角度θが８５度である。実施例１〜実施例５の空気入りタイヤは、ラグ溝の屈曲点およびサイプ端部の位置、ラグ溝の角度θ、外側ラグ溝の数、底溝サイプ、底溝サイプを設けたラグ溝傾斜変化、Ｗ１／Ｗ２、およびＤ１／Ｄ２が適正化されているタイヤである。
【００６５】
図７の試験結果に示すように、実施例１〜５の空気入りタイヤでは、それぞれ雪上路面での雪上性能（制動性能および旋回性能）、乾燥路面での操縦安定性能、トレッド摩擦時における雪上路面での排雪性能が向上していることが分かる。
【産業上の利用可能性】
【００６６】
以上のように、本発明にかかる空気入りタイヤは、乾燥路面での操縦安定性能と、雪上路面での雪上性能とを両立することに適している。
【図面の簡単な説明】
【００６７】
【図１】本発明の実施の形態にかかる空気入りタイヤのトレッド部の一部を示す平面図である。
【図２】溝底サイプを示す断面図である。
【図３】溝底サイプの他の実施の形態を示す断面図である。
【図４】図３の溝底サイプを示す平面図である。
【図５】溝底サイプのさらに他の実施の形態を示す断面図である。
【図６】溝底サイプのさらに他の実施の形態を示す断面図である。
【図７】本発明の実施の形態にかかる空気入りタイヤの性能試験の結果を示す図表である。
【符号の説明】
【００６８】
１  空気入りタイヤ
２  トレッド部
２１  踏面
２ａ  センター域
２ｂ  ショルダー域
３  周方向主溝
４  リブ
４ａ，４ｂ  ブロック
５  ラグ溝
５ａ  屈曲点
６  サイプ
６ａ  一端
６ｂ  他端
７  傾斜ラグ溝
８  傾斜サイプ
９  センター溝
１０  周方向副溝
１１  外側ラグ溝
１１ａ  オープン外側ラグ溝
１１ｂ  クローズ外側ラグ溝
１２  幅方向外側リブ
１２ａ  幅方向外側ブロック
１３  傾斜ラグ溝
１４  傾斜サイプ
１５  溝底サイプ
Ｂ１  ラグ溝の溝底
Ｂ２  溝底サイプの溝底
Ｗ１  ラグ溝の溝幅
Ｗ２  溝底サイプの溝幅
θ  角度
【図１】
0005109734.tif 000002
【図２】
0005109734.tif 000003
【図３】
0005109734.tif 000004
【図４】
0005109734.tif 000005
【図５】
0005109734.tif 000006
【図６】
0005109734.tif 000007
【図７】
0005109734.tif 000008